(57)【要約】【課題】低コストでデザインの自由度が制限されない芳香発生装置を提供すること。【解決手段】電力源から給電する接続端子と、浸透材からなる本体部と、前記接続端子からの給電によって発熱する発熱体からなることを特徴とする。【選択図】図１
0003170476.tif 000002
【実用新案登録請求の範囲】
【請求項１】
電力源から給電する接続端子と、
浸透材からなる本体部と、
前記接続端子からの給電によって発熱し、前記本体部に伝熱可能な発熱体からなり、
前記発熱体により、前記本体部に浸透させた芳香剤を揮発可能に構成した、芳香発生装置。
【請求項２】
前記接続端子と、前記本体部とを、それぞれ抜けないように組み合わせて成型したことを特徴とする、請求項１に記載の芳香発生装置。
【請求項３】
前記本体部と、前記発熱体との間に、被覆材を介在したことを特徴とする、請求項１又は２に記載の芳香発生装置。
【考案の詳細な説明】
【技術分野】
【０００１】
本考案は特に端子を電源に接続して発熱させることで芳香を発生させる芳香発生装置に関するものである。
【背景技術】
【０００２】
電源に接続して発熱させることで、芳香を発生させる器具や装置は従来から知られている。
特表２００９−５３７２８７号公報には、ＵＳＢポートに接続して、あらかじめ設置した芳香源を発熱させて周囲に芳香を漂わせる構成が開示されている。
【先行技術文献】
【特許文献】
【０００３】
【特許文献１】特表２００９−５３７２８７号公報
【考案の概要】
【考案が解決しようとする課題】
【０００４】
しかし、前記従来の装置には、以下の問題のうち、少なくとも一つの問題が生じ得る。
（１）芳香発生源とケースが別々の部材で構成されており、芳香発生源はケースの内部に設置されている。それゆえ、ケースに芳香排出口を設ける必要があり、ケースのデザインを制限してしまう。
（２）芳香発生源の大きさが、前記ケースに収納可能な大きさに制限され、芳香剤を染み込ませるスペースが少なくなる。
（３）芳香発生源とケースが別部材のため、製造過程も複数となり、結果として製造コストがかさむことになる。
【０００５】
すなわち、本考案は、少なくとも低コストでデザインの自由度が制限されない芳香発生装置を提供することを目的の一つとするものである。
【課題を解決するための手段】
【０００６】
前記の課題を解決すべくなされた本願の第１考案は、電力源から給電する接続端子と、浸透材からなる本体部と、前記接続端子からの給電によって発熱し、前記本体部に伝熱可能な発熱体からなり、前記発熱体により、前記本体部に浸透させた芳香剤を揮発可能に構成した、芳香発生装置として構成される。
【０００７】
本願の第２考案は、前記接続端子と、前記本体部とを、それぞれ抜けないように組み合わせて成型したことを特徴とする、前記第１考案に記載の芳香発生装置として構成される。
【０００８】
本願の第３考案は、前記本体部と、前記発熱体との間に、被覆材を介在することを特徴とする、前記第１又は第２考案に記載の芳香発生装置として構成される。
【考案の効果】
【０００９】
本考案は以上の構成により、少なくとも下記の何れかの効果を得ることができる。
（１）本体部に直接芳香剤を染み込ませるため、従来技術のように芳香排出口を設けたケースを別部材として用意する必要がない。
（２）本体部のデザインを任意に設計できる。
（３）染み込ませる芳香剤を購入者が選択でき、利便性が高い。
（４）本体部に直接芳香剤を染み込ませるので、芳香剤の染み込む範囲が広い。
（５）構造がシンプルであり、製造コストが低廉に抑えられる。
（６）接続端子と本体部に対応した嵌合部を施してあるため、芳香発生装置の脱着時に本体部と接続端子とが分離することがない。
（７）発熱体に任意の厚さ、材料の被覆体を被せることで、加熱量を調整することができ、本体部の焼損を防止したり、芳香の強さ、持続時間を目的用途に合わせて制御できる。
【図面の簡単な説明】
【００１０】
【図１】本考案の実施例１にかかる芳香発生装置の斜視図。
【図２】本考案の実施例２にかかる芳香発生装置の斜視図。
【図３】本考案の実施例３にかかる芳香発生装置の斜視図。
【考案を実施するための形態】
【００１１】
以下、図面を参照しながら本考案の実施の形態について説明する。
【実施例１】
【００１２】
本実施例を図１に示す。
本考案の芳香発生装置は本体部１と接続端子２を少なくとも有する。
【００１３】
＜１＞本体部
本体部は、芳香剤を芳香するための部材である。
本体部１は、芳香剤を浸透可能な浸透材で形成する。
本実施例では、浸透材として紙材を利用する。紙材を幾重にも糊付けして重ね、一定の厚みを持たせ、型抜き加工などによって、任意のデザインに成型する。
前記本体部１は、香水瓶の形に成型しているが、目的用途にあわせて飲料水の瓶や、果実などの食品の形状などに自由に成型が可能である。
前記浸透材は紙に限られず、布材や木材なども目的用途に合わせて使用することが可能である。
【００１４】
本体部１に染みこませる芳香剤は、香水に限られず、本体部１のデザインや目的用途に応じて、あらゆる種類の芳香剤が利用可能である。その他ブランデーなどの酒類や、アロマオイルなどを利用しても良い。
【００１５】
図１では、本体部１は、本体部上部１１と本体部下部１２とに分解されており、本体部下部１２に、端子２を嵌入するためのスペース１２１をくり抜いている。
【００１６】
なお、本体部１は、図面上、本体部上部１１と本体部下部１２とに分解されているが、説明の便宜であって、本実施例の完成品としては分離可能な構成はとっていない。
すなわち、接続端子２の上下から、紙を積層して本体部１を形成しても良いし、予め形成した本体部１に端子を嵌合可能な構成としても良い。
【００１７】
また、本体部１は、事前に芳香剤が染みこんである状態を必須の要件とするものではない。
すなわち、予め本体部１に芳香剤を染みこませた状態で販売してもよいし、本体部をプレーンな状態で販売し、購入者が適宜芳香剤を選択できるようにしてもよい。
【００１８】
＜２＞接続端子
接続端子２は、電源に接続することで電力の供給を受ける端子である。
本実施例ではＵＳＢ端子を想定するが、それに限られず、公知の接続端子を採用することが出来る。
接続端子２は、差込口の逆側に発熱体２１が施される。該発熱体２１は電源に接続して通電することで発熱する部品である。
本実施例では抵抗器を使用するが、通電して発熱する部品や素子であれば他のものでも利用が可能である。
接続端子２は、前記本体下部に設けてあるスペース１２１に嵌入することにより、本体部１と一体化する。
【００１９】
＜３＞作用
本考案の芳香発生装置の作用について説明する。
芳香発生装置を、接続端子２を介して電源供給源、本実施例ではＵＳＢポートに差し込むと、内部の発熱体３に通電し、該発熱体３が発熱する。
前記発熱が本体部１に伝熱することによって本体部１に染み込ませてある芳香剤が揮発して、本体部１自身から芳香を周囲に漂わすことができる。
【実施例２】
【００２０】
本実施例を図２に示す。
本実施例では、本体部下部１２に施された接続端子２´を嵌入するためのスペース１２１の先端を鉤型に刳り抜いて嵌合部１２１１を形成している。
前記嵌合部１２１１に対応するように、接続端子２´も接続部の逆端に鉤部２２を設けている。
その他の構成は実施例１と同様の構成であるため、詳細な説明を省略する。
前記嵌合部１２１１と接続端子２´のそれぞれの鉤部２２が対応して嵌入されることで、芳香発生装置の脱着時に本体部１と接続端子２´とが分離することはない。
なお、本体部１及び接続端子２´は、抜け防止の工夫が施されていれば必ずしも本実施例のような構造である必要はなく、様々な公知構造が利用可能である。
【実施例３】
【００２１】
本実施例を図３に示す。
本実施例では、接続端子２と、本体部上部１２との間に、被覆体３を介在している。
その際、被覆体３を発熱体２１を覆うように配置する。
その他の構成は実施例１と同様である。
被覆体３を以上のように介在することで、発熱体２１の発熱によって本体部１に加えられる熱量を調整する。そうすることで本体部１の加熱量を抑え、芳香剤の揮発をゆるやかにして芳香の持続時間を調整することが可能になる。
また、本体部１の過熱による焼損を防ぐことも出来る。
前記被覆体３を任意の厚さに成型し、染み込ませる芳香剤の量との相関関係によって目的用途に応じた使い方が可能となる。
本実施例では前記被覆体３に薄手のゴム材を使用しているが、材料はそれに限られなず、木材や金属材、プラスチック樹脂、その他一定の遮熱性を備えた材料を使用することができる。
【符号の説明】
【００２２】
１        本体部
１１      本体部上部
１２      本体部下部
１２１    スペース
１２１１  嵌合部
２        接続端子
２´      接続端子
２１      発熱体
２２      鉤部
３        被覆体
【図１】
0003170476.tif 000003
【図２】
0003170476.tif 000004
【図３】
0003170476.tif 000005